【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
像形成のためのメモリを有するカートリッジを装着可能な画像形成装置であって、
前記カートリッジが装着されている状態で前記メモリの第１の領域と第２の領域に記憶されたデータを読み出す読出手段と、
前記読出手段により読み出される前記メモリの第１の領域のデータと第２の領域のデータの診断を行う診断手段と、
前記診断手段により前記第１の領域のデータの異常が検出されると警告を行うと共に像  形成の実行を禁止し、前記第２の領域のデータの異常が検出されると警告を行うと共に像形成の実行を許可する制御手段とを備えることを特徴とする画像形成装置。
【請求項２】
前記第１の領域は読出専用領域であり、前記第２の領域は書き換え可能領域であることを特徴とする請求項１記載の画像形成装置。
【請求項３】
前記第１の領域のデータは、カートリッジ個々に決められたデータを含むことを特徴とする請求項２記載の画像形成装置。
【請求項４】
前記カートリッジ個々に決められたデータはカートリッジの出荷時あるいは組み立て時に記憶されるデータであることを特徴とする請求項３記載の画像形成装置。
【請求項５】
前記カートリッジ個々に決められたデータはカートリッジの識別データを含むことを特徴とする請求項４記載の画像形成装置。
【請求項６】
前記カートリッジ個々に決められたデータはそのカートリッジの特性をあらわすデータを含むことを特徴とする請求項４記載の画像形成装置。
【請求項７】
前記第２の領域のデータはカートリッジの累積使用量に係わるデータを含むことを特徴とする請求項２記載の画像形成装置。
【請求項８】
前記診断手段は記憶されているデータのチェックサムにより異常を検出することを特徴とする請求項１乃至請求項７のいずれかに記載の画像形成装置。
【請求項９】
前記読出手段は、前記画像形成装置の電源オン時、あるいは前記カートリッジ交換のための画像形成装置のドアクローズ時に前記メモリのデータの読み出しを行うことを特徴とする請求項１乃至請求項８のいずれかに記載の画像形成装置。
【請求項１０】
像形成のためのメモリを有するカートリッジを装着可能な画像形成装置であって、
前記カートリッジが装着されている状態で、前記メモリの第１の領域に記憶された第１の種類のデータと第２の領域に記憶された第２の種類のデータとを読み出す読出手段と、
前記読出手段により読み出される前記第１の種類のデータと前記第２の種類のデータの診断を行う診断手段と、
前記診断手段により前記第１の種類のデータの異常が検出されると警告を行うと共に像形成の実行を禁止し、前記第２の種類のデータの異常が検出されると警告を行うと共に像形成の実行を許可する制御手段とを備えることを特徴とする画像形成装置。
【請求項１１】
前記第１の種類のデータはカートリッジ個々に決められたデータを含み、前記第２の種類のデータはカートリッジの使用に応じて変化するデータを含むことを特徴とする請求項１０記載の画像形成装置。
【請求項１２】
前記カートリッジ個々に決められたデータはカートリッジの出荷時あるいは組み立て時に記憶されるデータであることを特徴とする請求項１１記載の画像形成装置。
【請求項１３】
前記カートリッジ個々に決められたデータはカートリッジの識別データを含むことを特徴とする請求項１１記載の画像形成装置。
【請求項１４】
前記カートリッジ個々に決められたデータはそのカートリッジの特性をあらわすデータを含むことを特徴とする請求項１１記載の画像形成装置。
【請求項１５】
前記第２の種類のデータはカートリッジの累積使用量に係わるデータを含むことを特徴とする請求項１１記載の画像形成装置。
【請求項１６】
前記診断手段は記憶されているデータのチェックサムにより異常を検出することを特徴とする請求項１０乃至請求項１５のいずれかに記載の画像形成装置。
【請求項１７】
像形成のためのメモリを有するカートリッジを装着可能な画像形成装置の制御方法であって、
前記カートリッジが装着されている状態で、前記メモリの第１の領域と第２の領域に記憶されたデータを読み出させる読み出しステップと、
前記読み出しステップで読み出される前記メモリの第１の領域のデータと第２の領域のデータの診断を行わせる診断ステップと、
前記診断ステップで前記第１の領域のデータの異常が検出されると警告を行わせると共に像形成の実行を禁止させ、前記第２の領域のデータの異常が検出されると警告を行わせると共に像形成の実行を許可させることを特徴とする画像形成装置の制御方法。
【請求項１８】
前記第１の領域は読出専用領域であり、前記第２の領域は書き換え可能領域であることを特徴とする請求項１７記載の画像形成装置の制御方法。
【請求項１９】
前記第１の領域のデータは、カートリッジ個々に決められたデータを含むことを特徴とする請求項１８記載の画像形成装置の制御方法。
【請求項２０】
前記カートリッジ個々に決められたデータはカートリッジの出荷時あるいは組み立て時に記憶されるデータであることを特徴とする請求項１９記載の画像形成装置の制御方法。【請求項２１】前記カートリッジ個々に決められたデータはカートリッジの識別データを含むことを特徴とする請求項２０記載の画像形成装置の制御方法。
【請求項２２】
前記カートリッジ個々に決められたデータはそのカートリッジの特性をあらわすデータを含むことを特徴とする請求項２０記載の画像形成装置の制御方法。
【請求項２３】
前記第２の領域のデータはカートリッジの累積使用量に係わるデータを含むことを特徴とする請求項１８記載の画像形成装置の制御方法。
【請求項２４】
前記診断手段は記憶されているデータのチェックサムにより異常を検出することを特徴とする請求項１７乃至請求項２３のいずれかに記載の画像形成装置の制御方法。
【請求項２５】
前記読み出しステップでは、前記画像形成装置の電源オン時、あるいは前記カートリッジ交換のための画像形成装置のドアクローズ時に前記メモリのデータの読み出しを行うことを特徴とする請求項１７乃至請求項２４のいずれかに記載の画像形成装置の制御方法。【請求項２６】像形成のためのメモリを有するカートリッジを装着可能な画像形成装置の制御方法であって、
前記カートリッジが装着されている状態で、前記メモリの第１の領域に記憶された第1の種類のデータと第２の領域に記憶された第２の種類のデータを読み出させる読み出しステップと、
前記読み出しステップで読み出される前記第１の種類のデータと前記第２の種類のデータの診断を行わせる診断ステップと、
前記診断ステップで前記第１の種類のデータの異常が検出されると警告を行わせると共に像形成の実行を禁止させ、前記第２の種類のデータの異常が検出されると警告を行わせると共に像形成の実行を許可させることを特徴とする画像形成装置の制御方法。
【請求項２７】
前記第１の種類のデータはカートリッジ個々に決められたデータを含み、前記第２の種類のデータはカートリッジの使用に応じて変化するデータを含むことを特徴とする請求項２６記載の画像形成装置の制御方法。
【請求項２８】
前記カートリッジ個々に決められたデータはカートリッジの出荷時あるいは組み立て時に記憶されるデータであることを特徴とする請求項２７記載の画像形成装置の制御方法。【請求項２９】前記カートリッジ個々に決められたデータはカートリッジの識別データを含むことを特徴とする請求項２７記載の画像形成装置の制御方法。
【請求項３０】
前記カートリッジ個々に決められたデータはそのカートリッジの特性をあらわすデータを含むことを特徴とする請求項２７記載の画像形成装置の制御方法。
【請求項３１】
前記第２の種類のデータはカートリッジの累積使用量に係わるデータを含むことを特徴とする請求項２７記載の画像形成装置の制御方法。
【請求項３２】
前記診断ステップでは、記憶されているデータのチェックサムにより異常を検出することを特徴とする請求項２６乃至請求項３１のいずれかに記載の画像形成装置の制御方法。【請求項３３】請求項１乃至請求項３２のいずれかに記載の機能を実現する制御手順が格納されているコンピュータ可読記憶媒体。
【請求項３４】
請求項１乃至請求項３２のいずれかに記載の機能を達成するためのコンピュータプログラム列。
【手続補正２】
【補正対象書類名】明細書
【補正対象項目名】００１０
【補正方法】変更
【補正の内容】
【００１０】
更に例えば、前記第２の領域のデータはカートリッジの累積使用量に係わるデータを含むことを特徴とする。


【手続補正３】
【補正対象書類名】明細書
【補正対象項目名】００１２
【補正方法】変更
【補正の内容】
【００１２】
また、像形成のためのメモリを有するカートリッジを装着可能な画像形成装置であって、前記カートリッジが装着されている状態で、前記メモリの第１の領域に記憶された第１の種類のデータと第２の領域に記憶された第２の種類のデータとを読み出す読出手段と、前記読出手段により読み出される前記第１の種類のデータと前記第２の種類のデータの診断を行う診断手段と、前記診断手段により前記第１の種類のデータの異常が検出されると警告を行うと共に像形成の実行を禁止し、前記第２の種類のデータの異常が検出されると警告を行うと共に像形成の実行を許可する制御手段とを備えることを特徴とする。


【手続補正４】
【補正対象書類名】明細書
【補正対象項目名】００１５
【補正方法】変更
【補正の内容】
【００１５】
更に例えば、前記カートリッジ個々に決められたデータはそのカートリッジの特性をあらわすデータを含むことを特徴とする。あるいは、前記第２の種類のデータはカートリッジの累積使用量に係わるデータを含むことを特徴とする。